(57)【特許請求の範囲】
【請求項１】
水洗便器に洗浄水を放出させるために操作される、壁面に固定されて使用されるタッチ式操作スイッチを備えた便器洗浄装置において、
前記タッチ式操作スイッチは、枠部とこの枠部の内側に取り付けられた操作パネルとを有し、操作パネルに使用者が押し操作するタッチ部を形成するとともに、同タッチ部から離れた位置となる枠部の上部に点字を設けたことを特徴とする便器洗浄装置。
【請求項２】
前記タッチ部にメッキ処理を施したことを特徴とする請求項１に記載の便器洗浄装置。
【請求項３】
前記タッチ部がタッチ部近傍の操作パネルより突出していることを特徴とする請求項１又は２に記載の便器洗浄装置。
【請求項４】
前記タッチ部に触覚記号を付設させたことを特徴とする請求項１乃至３のいずれか１つに記載の便器洗浄装置。
【請求項５】
前記タッチ部の中央が凹状になっていることを特徴とする請求項１乃至４のいずれか１つに記載の便器洗浄装置。
【請求項６】
前記タッチ部と前記操作パネルとの明度差を５以上としたことを特徴とする請求項１乃至５のいずれか１つに記載の便器洗浄装置。
【発明の詳細な説明】
【０００１】
【発明の属する技術分野】
本発明は、水洗便器に洗浄水を放出させるために操作されるタッチ式操作スイッチに関する。
【０００２】
【従来の技術】
従来、水洗便器に洗浄水を放出させるために操作されるタッチ式操作スイッチには、タッチ部が表面シート状から成るものや樹脂及び金属のハードタイプから成るもので構成され該タッチ部近傍の操作パネルに「流す」等の文字で利用者に操作方法をガイドしているものが大半を占めている。
しかるに近年、不特定多数が利用する建築物や旅客施設・車両・周辺道路・駅前広場等においては高齢者や身体障害者等が円滑に利用できる水洗便器の要望が強まっている。
【０００３】
しかしながら、身体障害者の内、盲人の方などは、トイレ内に入室し用を足した後は洗浄ボタンを手探り状態で探すが、ボタン部に触覚記号やボタン部近傍に点字等のガイドがないためにボタン部になかなかたどりつけない。
簡易的に点字シールを貼る場合もあるが、不特定多数の人が利用する施設ではいたづら等で剥がされることがある。
【０００４】
また、ボタン部が近傍の操作パネルより突出していないため、ボタン部の識別が出来ない。
【０００５】
また、操作パネルの色は一般的にトイレブース内のパネル色と合わせるためにアイボリー系のもが多く使われており、白内障の方等は他のものとの識別がしづらい等の問題がある。
【０００６】
【発明が解決しようとする課題】
本発明は、上記不具合を解決するためになされたもので、高齢者、身体障害者、特に盲目の方や白内障の方が、円滑に利用できる便器洗浄装置を提供することを目的とする。
【０００７】
【課題を解決するための手段および作用・効果】
上記課題を解決するために、本発明の請求項１は、水洗便器に洗浄水を放出させるために操作される、壁面に固定されて使用されるタッチ式操作スイッチを備えた便器洗浄装置において、前記タッチ式操作スイッチは、枠部とこの枠部の内側に取り付けられた操作パネルとを有し、操作パネルに使用者が押し操作するタッチ部を形成するとともに、同タッチ部から離れた位置となる枠部の上部に点字を設けたことを特徴とする便器洗浄装置とした。
【０００８】
この様に、タッチ部以外の前面部の離れた位置に点字を設けることにより、盲人の方などが手探りで操作スイッチを探す際に、まずタッチ部から離れた位置にある点字を認識し、それからタッチ部にスムーズに誘導することが出来る。
もしも、タッチ部やタッチ部近辺に点字を設けた場合は、手探りで探している間に間違ってスイッチが入ってしまう場合が考えられるが、点字をタッチ部から離れた位置に設けることによりこのケースを回避することが出来る。
【０００９】
特に、前記タッチ式操作スイッチは、枠部と操作パネルとを有し、操作パネルにタッチ部を形成するとともに、枠部に点字を設けることとした。
【００１０】
この様に、枠部に点字を設けることにより、盲人の方などが手探りで操作スイッチを探す際に、まずタッチ部から離れた位置にある点字を認識し、それからタッチ部にスムーズに誘導することが出来る。
もしも、タッチ部やタッチ部近辺に点字を設けた場合は、手探りで探している間に間違ってスイッチが入ってしまう場合が考えられるが、点字をタッチ部から離れた位置に設けることによりこのケースを回避することが出来る。
【００１５】
本発明の請求項６は、前記タッチ部と前記操作パネルとの明度差を５以上としたことを特徴とする請求項１乃至５のいずれか１つに記載の便器洗浄装置とした。
【００１６】
これにより、白内障などの目の不自由な方が身障者トイレなどを利用する場合においても、操作パネルとタッチ部との識別が容易に行なえる。
特に操作パネルを濃色とするとより好ましい形態となり、壁が薄色であれば操作パネルとの識別も容易になる。
【００１９】
本発明の請求項２は、前記タッチ部にメッキ処理を施したことを特徴とする請求項１記載の便器洗浄装置とした。
【００２０】
これにより、タッチ部に火の付いた煙草を押付けたとしても、タッチ部が変形して押せなくなるような不具合は発生しない。
なお、従来のタッチ部は、合成樹脂の生地がそのままもしくはその合成樹脂に樹脂塗装をしているだけであったため、タッチ部に火の付いた煙草を押付けるいたずらをされた場合、タッチ部が変形して押すことができず、洗浄不可の状態となってしまっていたのである。
【００２１】
本発明の請求項３は、前記タッチ部がタッチ部近傍の操作パネルより突出していることを特徴とする請求項１又は２記載の便器洗浄装置とした。
【００２２】
これにより、盲人の方などが手探りで操作スイッチを探す際に、タッチ部が近傍の操作パネルより突出しているため、タッチ部を容易に認識できる。
【００２３】
本発明の請求項４は、前記タッチ部に触覚記号を付設させたことを特徴とする請求項１乃至３のいずれか１つに記載の便器洗浄装置とした。
【００２４】
これにより、盲人の方などが手探りで操作スイッチを探す際に、タッチ部であることの認識が向上する。
【００２５】
本発明の請求項５は、前記タッチ部の中央が凹状になっていることを特徴とする請求項１乃至４のいずれか１つに記載の便器洗浄装置とした。
【００２６】
これにより、手の不自由な方が肘などでタッチ部を押す際、肘が凹状部に入り込み確実に操作することが出来る。また、操作する際に手が震える方なども凹状になっているため、押していくと中央に手が寄せられ確実にスイッチを入ることが出来る。
【００２７】
【発明の実施の形態】
以下、図面に示す実施例に基づいて本発明を説明する。図１は本発明に係わるタッチ式操作スイッチの正面図である。（操作パネルに濃色を施したもの）図２は、そのの左側面図である。図３は左側面断面図である。図４は分解図である。図５は操作パネルに薄色を施した正面図である。いずれの図においてもコード類は省略している。
【００２８】
図１から図５を基に本装置の構造を簡単に説明する。１はタッチ部である。２は操作パネル、３は枠部である。タッチ部１はケース４と座金付きねじ５により抜けないよう固定されている。ケース４は操作パネル２にねじ６で固定されている。操作パネル２の背面２ａには磁性体であるＳＵＳ４３０が設けられており枠部３に取り付けられた磁石７の磁力により固定されている。基板１０に設けられたタクトスイッチ９はパッキン８により防水されている。１１はケース４のふたでねじ１２によりケース４に固定されている。１３はケース４とふた１１との防水パッキンである。枠部３は壁面内部に固定されてあるボックス（図無し）とねじ１４により固定されてある。
【００２９】
枠部３の上部には点字３ａを設けている。タッチ部１から離れた位置に設けているため、盲人が手探りで探している際の誤作動を防止できる。点字は出来るだけ短く分かり易い方がよいため、本実施例では「ながす」の点字とした。また、上面に付したが枠部の下面、側面は問わない。枠部３の材質はＡＢＳ樹脂で射出成形品の為、点字がシールのように剥がれる心配がない。
【００３０】
タッチ部１には触覚記号１ａを設けた。該触覚記号１ａの位置であるが、中央より上部とした。これは、不特定多数の人が使用する施設で、健常者の方が使用する場合は中央に触覚記号１ａがあると押した際、手が痛い・違和感がある等の問題点があるため敢えて上部に配備した。
【００３１】
タッチ部１には凹状部１ｂを設けた。これにより手の不自由な方が肘で押す場合、肘が凹部に入り込み確実に洗浄することが出来る。また押す際、手が震える方なども押して行くと中央部に手が寄せられるため確実に洗浄することが出来る。
【００３２】
タッチ部１は操作パネル２より突出させた。この突出は、１ｍｍから５ｍｍとすることが好ましく、より好ましくは、２ｍｍから４ｍｍとし、端部にアールを付けておくことが大切である。
本実施例では約３ｍｍ突出させている。このことにより、盲人の方などが手探りで操作スイッチを探す際、まず点字で器具を認識し次に操作パネルよりタッチ部が突出しているため容易にタッチ部を認識することが出来る。なお、５ｍｍを超えて突出させると、操作性が悪くなったり、目の不自由な方がタッチ部１を探すときにタッチ部１に触れたときに不快感を生じてしまう。
【００３３】
タッチ部と操作パネルとの明度差を５以上とすることが好ましい。より好ましい形態としては、この明度差を７以上とすることである。
また、操作パネルに付した文字または表示と操作パネルとの明度差を５以上とすることが好ましい。より好ましい形態としては、この明度差を７以上とすることである。
これにより、白内障の方も十分に識別することが可能となる。
【００３４】
具体的には、操作パネル２はＳＵＳ上にメラミン焼付塗装を施した。そしてこの操作パネル２の塗装色は、濃色として明度が３以下好ましくは２以下とすることが好ましい。そのため、塗装色にたとえば、濃紺、濃緑、濃赤、黒などから選択した濃色（特に、濃紺色が好ましい）を用いる。本実施例では、濃紺色（ディープブルー）を採用し明度は１．３である。これより、白内障などの目の不自由な方でも容易に操作スイッチを認識することが出来る。図５の薄色を施した操作パネルと比べ視認性が格段に良いことが分かる。
【００３５】
さらに、操作パネル２上にはシルク印刷で操作ガイドの文字や表示を設けている。そして、この文字や表示は、薄色として明度が８以上好ましくは９以上とすることが好ましい。具体的な文字や表示の色としてはホワイト、アイボリーなどから選択した薄色（白色系）を用いている。そのため、周囲との明度差があり視認性を良くしている。本実施例ではペールホワイトを採用しており明度は８．９である。
バリアフリー法では明度差が５以上あると容易に識別しやすく、本実施例では、操作パネルと文字の明度差は７．６と識別性が格段に優れている。
また、タッチ部１の色は、薄色として明度が８以上好ましくは９以上とすることが好ましい。具体的なタッチ部１の色としては、ホワイト、アイボリーなどから選択した薄色（白色系）とすることで、操作パネル２とタッチ部１との識別も容易に行なえる。
【００３６】
なお、上述では、操作パネル２を濃色としたが、このタッチ式操作スイッチを取付ける壁面が濃色の場合、操作パネル２を薄色とし、操作パネル２上の文字や表示ならびにタッチ部を濃色としてもよい。ただし、この場合も操作パネルと、文字や表示ならびにタッチ部との明度差は５以上とする。より好ましくは、７以上とする。
また、タッチ式操作スイッチと、このタッチ式操作スイッチを取付ける壁面との明度差も５以上とし、より好ましくは、７以上とするとよい。
【００３７】
本実施例では、たばこの火などでのいたずら対策として、タッチ部１にめっき処理を施した。
特に、光沢ニッケルクロムめっきとすることで、操作パネル２との識別を損なうことはない。
【００３８】
本実施例では、タッチ部が丸形について説明したが、四角形についても同様な効果が得られる。また、本実施例では、埋込タイプについて説明したが露出タイプについても同様である。
【００３９】
【発明の効果】
本発明は上記構成により次の効果を発揮する。高齢者、身体障害者等、特に盲目の方や白内障の方が、円滑に利用できる便器洗浄装置を提供することができる。
【図面の簡単な説明】
【図１】本発明に係わるタッチ式操作スイッチの操作パネルに濃色系を施した正面図である。
【図２】図１の左側面図である。
【図３】図１の左側面断面図である。
【図４】図１の分解図である。
【図５】操作パネルに薄色系を施した正面図である。
【符号の説明】
１  …タッチ部
１ａ…触覚記号
２  …操作パネル
３  …枠部
３ａ…点字
【図１】
0003818179.tif 000002
【図２】
0003818179.tif 000003
【図３】
0003818179.tif 000004
【図４】
0003818179.tif 000005
【図５】
0003818179.tif 000006